(57)【要約】【課題】カメラ本体２の一側面にパネルモニタ１２を備えてなる撮像装置１において、簡単な構成で確実にパネルモニタ１２を保護することができる撮像装置を提供する。【解決手段】パネルモニタ１２を、カメラ本体２の一側面２ｂに沿って縦型に折り畳める構造とすると共に、カメラ本体２の一側面２ｂの下部に、パネルモニタ１２を折り畳んだ状態でこのパネルモニタ１２の先端面１２ａとほぼ隙間なく対向する対向面６０ａを有し、パネルモニタ１２の幅とほぼ等しい幅で、かつパネルモニタ１２の厚みとほぼ等しい突出高さで突出する顎部６０を形成した構造とする。また、この撮像装置を装着するクレイドル装置では、カメラ本体を保持する保持部の形状をカメラ本体の底面の形状に対応した形状とすることで、撮像装置をスムーズに装着でき、かつ誤装着を防止できる構造とする。【選択図】  図３
2006186935.tif 000002
【特許請求の範囲】
【請求項１】
装置本体の一側面にパネルモニタを備えてなる撮像装置において、
上記パネルモニタを、上記装置本体の一側面に沿って縦型に折り畳める構造とし、
上記装置本体の一側面の下部に、上記パネルモニタを折り畳んだ状態で上記パネルモニタの先端面とほぼ隙間なく対向する対向面を有する顎部を突出形成したことを特徴とする撮像装置。
【請求項２】
請求項１に記載の撮像装置において、
上記顎部は、上記パネルモニタの幅とほぼ等しい幅で、かつ上記パネルモニタの厚みとほぼ等しい突出厚で突出形成されることを特徴とする撮像装置。
【請求項３】
請求項１に記載の撮像装置において、
上記パネルモニタの先端面に係合部を設けると共に、上記顎部の対向面に被係合部を設けて構成され、上記パネルモニタを折り畳んだ状態では、上記係合部が上記被係合部に係合する構造としたことを特徴とする撮像装置。
【請求項４】
請求項１に記載の撮像装置において、
上記装置本体をクレイドル装置に装着したときにクレイドル装置側のコネクタと接続されるコネクタを上記装置本体の底面に有し、
上記装置本体の底面は、上記顎部が形成される一側面側と、これと反対の他側面側とが異なる形状に形成されていることを特徴とする撮像装置。
【請求項５】
請求項４に記載の撮像装置が装着されるクレイドル装置であって、
上記装置本体が載置される基台と、この基台に載置された上記装置本体の側面を保持する保持部とを有して構成され、
上記基台には、上記装置本体のコネクタと接続されるコネクタが設けられ、
上記保持部は、上記装置本体の底面の形状と対応するように、上記装置本体の一側面を保持する部分と、上記装置本体の他側面を保持する部分とが異なる形状に形成されていることを特徴とするクレイドル装置。
【請求項６】
請求項５に記載のクレイドル装置において、
上記保持部は、上記装置本体の一側面を保持する部分が、上記基台に載置される上記装置本体の上記顎部を越えない高さに形成されていることを特徴とするクレイドル装置。
【発明の詳細な説明】
【技術分野】
【０００１】
本発明は、パネルモニタを備えた撮像装置、及びこの撮像装置が装着されるクレイドル装置に関する。
【背景技術】
【０００２】
ビデオカメラ等の撮像装置においては、装置本体の側面に液晶表示画面を有するパネルモニタを備えたものが一般に広く実用化されている(例えば下記特許文献１参照)。
【０００３】
このパネルモニタは、不使用時には装置本体の側面に沿って折り畳まれており、使用時にはこのパネルモニタを装置本体に対し約９０°に開いて使用するものである。
【特許文献１】特開２００４−１１２０２６号公報
【発明の開示】
【発明が解決しようとする課題】
【０００４】
このようなパネルモニタを備えた撮像装置では、パネルモニタが折り畳まれた状態で、パネルモニタの先端部に物が引っ掛かってしまうことがあり、これによってパネルモニタが不用意に開かれてしまい、場合によっては破損するおそれもあった。
【０００５】
これを防止するために、パネルモニタが折り畳まれた状態でこれをロックする機構を備えた撮像装置もあるが、この場合はその分だけ機構が複雑化し、コストアップに繋がるという問題があった。
【０００６】
本発明はこのような問題点に鑑みてなされたもので、簡単な構成で確実にパネルモニタを保護することができる撮像装置を提供することを目的とする。
【課題を解決するための手段】
【０００７】
上記の目的を達成するため本発明は、装置本体の一側面にパネルモニタを備えてなる撮像装置において、
パネルモニタを、装置本体の一側面に沿って縦型に折り畳める構造とすると共に、
装置本体の一側面の下部に、パネルモニタを折り畳んだ状態でパネルモニタの先端面とほぼ隙間なく対向する対向面を有する顎部を突出形成したことを特徴とするものである。
【０００８】
また本発明は、上記構成の撮像装置において、
顎部は、パネルモニタの幅とほぼ等しい幅で、かつパネルモニタの厚みとほぼ等しい突出厚で突出形成されることを特徴とするものである。
【０００９】
さらに本発明は、上記構成の撮像装置において、
パネルモニタの先端面に係合部を設けると共に、顎部の対向面に被係合部を設け、パネルモニタを折り畳んだ状態では、係合部が被係合部に係合する構造としたものである。
【００１０】
さらに本発明は、上記構成の撮像装置において、
装置本体をクレイドル装置に装着したときにクレイドル装置側のコネクタと接続されるコネクタを装置本体の底面に有し、
装置本体の底面は、顎部が形成される一側面側と、これと反対の他側面側とが異なる形状に形成されてなるものである。
【００１１】
また本発明は、上記構成の撮像装置が装着されるクレイドル装置であって、
装置本体が載置される基台と、この基台に載置された装置本体の側面を保持する保持部とを有して構成され、
基台には、装置本体のコネクタと接続されるコネクタが設けられ、
保持部は、装置本体の底面の形状と対応するように、装置本体の一側面を保持する部分と、装置本体の他側面を保持する部分とが異なる形状に形成されていることを特徴とするものである。
【００１２】
さらに本発明は、上記構成のクレイドル装置において、
保持部は、装置本体の一側面を保持する部分が、基台に載置される装置本体の顎部を越えない高さに形成されていることを特徴とするものである。
【発明の効果】
【００１３】
上記の如く構成される本発明の撮像装置では、パネルモニタを折り畳んだときにはその先端面が顎部の対向面とほぼ隙間なく対向する状態となるので、パネルモニタの先端部に物が引っ掛かりにくくなり、このためパネルモニタが不用意に開かれてしまうおそれはなく、簡単な構成でパネルモニタを確実に保護することができる効果がある。
【００１４】
また、ここで顎部は、パネルモニタの幅とほぼ同じ幅で、かつ、パネルモニタの厚みとほぼ等しい突出厚で突出形成されていることにより、パネルモニタを折り畳んだ状態では、顎部がパネルモニタと連続した延長部であるかのような外観に見えるので、全体的にすっきりとした美しいデザインの外観形状となる。
【００１５】
また本発明の撮像装置では、パネルモニタを折り畳んだ状態で、パネルモニタの係合部が顎部の被係合部に係合する構造としたことにより、パネルモニタは、折り畳み状態において幅方向にぐらつくことなく安定した状態に保持される。
【００１６】
そして本発明のクレイドル装置では、このクレイドル装置に対し撮像装置を正しい向きで装着すると、保持部がカメラ本体のガイドとなって撮像装置はスムーズにクレイドル装置に装着され、一方、撮像装置を誤って逆向きで装着しようとすると、装置本体の底面形状及びこれと対応するクレイドル装置の保持部の形状により、撮像装置をクレイドル装置に装着することができないため、撮像装置は常に正しい向きでクレイドル装置に装着されることになるので、誤装着によるコネクタの破損のおそれがなく、コネクタを確実に保護することができる効果がある。
【００１７】
さらに本発明のクレイドル装置では、保持部において装置本体の一側面を保持する部分が基台に載置される装置本体の顎部を越えない高さに形成されていることにより、保持部がパネルモニタの開閉動作の妨げとなることはなく、撮像装置をクレイドル装置に装着した状態でスムーズにパネルモニタを開いて画像を見ることができる。
【発明を実施するための最良の形態】
【００１８】
以下、図面を参照しながら本発明の実施例について詳細に説明する。本例では、電子機器である撮像装置として、ＶＴＲ一体型ビデオカメラを例示して説明を行なう。
先ず、図１〜図７を参照して、本例の撮像装置の概要について述べる。図１は本例の撮像装置を手で持った状態を示す斜視図、図２は撮像装置を前面側から見た斜視図、図３は撮像装置を背面側から見た斜視図、図４は撮像装置のパネルモニタを開いた状態を示す斜視図、図５はパネルモニタの使用状態を示す斜視図、図６は撮像装置のカセット収納部を開いた状態を示す斜視図、図７は撮像装置にメモリーカードを挿入する状態を示す斜視図である。
【００１９】
本例の撮像装置は、撮影した動画をテープカセットに記録して再生する機能を有し、さらに静止画をメモリーカードに記録して再生する機能を備えたビデオカメラ機器である。
この撮像装置１は、カメラ本体２の前面２ａの上部に突出して撮像部３を有し、図１に示す如くカメラ本体２を片手(右手)で縦型に持った状態で、撮像部３の前面の撮像レンズ４を前方の被写体に向けて撮影を行なうものである。撮像レンズ４から撮像部３に入射された画像は、カメラ本体２に内蔵される撮像素子で画像信号に変換されて、テープカセットまたはメモリーカードに記録される。
【００２０】
この撮像部３においては、図２に示す如く通常時には撮像レンズ４がレンズシャッター５で覆われており、撮影モードに入るとレンズシャッター５が開かれて撮像レンズ４が露出されるようになっている。さらに撮像部３の前面には、撮像レンズ４の上方に位置してフラッシュ発光部６が設けられており、静止画撮影モードにおける夜間撮影時にはこのフラッシュ発光部６から前方の被写体に向けてフラッシュ光が発光される。
【００２１】
上記撮像部３の反対側においてカメラ本体２の背面２ｄの上部には、図３に示すようにビューファインダ部７が設けられている。このビューファインダ部７は、背面側の窓部８から、カメラ本体２に内蔵される小型の液晶表示画面を覗いて撮影画像または再生画像を見るものであり、窓部８の周囲には遮光用のアイカップ９が設けられている。また図６に示す如く、アイカップ９の下方にはフォーカス調整つまみ１０が設けられており、このフォーカス調整つまみ１０をスライド操作することで、窓部８から内蔵の表示画面を見るときのフォーカスを調整できるようになっている。
【００２２】
さらに本例の撮像装置１では、図５に示すように、カメラ本体２の外部で画像を見る手段として、大型の液晶表示画面１３を有するパネルモニタ１２が設けられている。このパネルモニタ１２は、Ｘ軸とＹ軸の直交する２軸を回動支点として回動するように、連結部材１４を介してカメラ本体２の左側面２ｂに開閉自在に取り付けられており、不使用時には図３に示す如く表示画面１３を内側にした状態でカメラ本体２の左側面２ｂに沿って縦型に折り畳まれるように閉じられている。そして、このパネルモニタ１２を使用するときには、図４に示すようにＸ軸を回動支点としてパネルモニタ１２を水平位置まで引き上げるように９０°回動させて開き、それからさらにＹ軸を回動支点としてパネルモニタ１２を約９０°回動させて、図５に示す如く表示画面１３を使用者側に向けるようにして使用する。
【００２３】
なお、この撮像装置１においてパネルモニタ１２は、その取り付け部に組み込まれたトグル機構によって常に折り畳み状態に保持されるように付勢されていると共に、このパネルモニタ１２を水平に開いた状態ではその角度で安定して保持されるようになっている。
【００２４】
上記パネルモニタ１２が設けられるカメラ本体２の左側面２ｂと反対側の右側面２ｃの下部には、カメラ本体２を安定した状態で持つためのグリップベルト１６が設けられている。このブリップベルト１６は、カメラ本体２の背面２ｄの固定部１７と前面２ａ側の取り付け部１８との間に装着されるストラップベルト１９と、このストラップベルト１９に装着される甲当てパッド２０とで構成され、図１に示す如く、このグリップベルト１６とカメラ本体２との間に右手を通した状態でカメラ本体２を持つことにより、グリップベルト１６で手の甲側を保持し、カメラ本体２を安定した状態で持つことができるものである。
【００２５】
そして本例の撮像装置１では、上記の如くカメラ本体２を右手で持った状態で、その手の指先で操作できる位置に操作部が設けられている。図３に示す如く、カメラ本体２の背面２ｄに設けられる操作部２２には、電源オン／オフ及び動作モード切り換え用のスライドスイッチ２３、開閉蓋のロック解除用のスライドスイッチ２４、録画ボタン２５、画面表示切り換えボタン２６、逆光補正ボタン２７、フラッシュ発光モード切り換えボタン２８、簡易撮影モード設定ボタン２９を有し、これらのスイッチ２３，２４及びボタン２５，２６，２７，２８，２９は、図１のようにカメラ本体２を手で持った状態で親指の指先で操作することができる。
【００２６】
また図２に示す如く、カメラ本体２の右側面２ｃの上部前方に設けられる操作部３１には、撮影時のズーム操作用のスライドスイッチ３２と静止画撮影用のシャッターボタン３３を有し、これらのスイッチ３２及びボタン３３は、図１のようにカメラ本体２を手で持った状態で人差指の指先で操作することができる。
【００２７】
また本例の撮像装置１においては、カメラ本体２の左側面２ｂの前部に設けられた操作部３５に、撮影時の手動調整を行なうための切り換えボタン３６と調整ダイヤル３７を有し、さらにパネルモニタ１２には、表示画面１３の下に録画ボタン３９、撮影時のズーム操作ボタン４０、画面表示サイズ変更ボタン４１が設けられている。なお、上記操作部３５の切り換えボタン３６と調整ダイヤル３７及びパネルモニタ１２の各ボタン３９，４０，４１は、カメラ本体２を持つ右手と反対側の左手の指先で操作するものである。
【００２８】
さらにカメラ本体２の上面２ｅには、マイクロホン部４３とアクセサリ取り付け部４５が設けられている。マイクロホン部４３には多数の通音孔が形成されており、この通音孔を通してカメラ本体２に内蔵されたマイクロホンによって音声が収録される。アクセサリ取り付け部４５はカバー４６で覆われており、このカバー４６を取り外すと各種アクセサリを取り付けるためのシューが露出されるようになっている。またカメラ本体２の底面２ｆには、撮像装置を付属のクレイドル装置と電気的に接続するためのコネクタ４８と、三脚に取り付けるための螺子穴４９が設けられている。
【００２９】
本例の撮像装置１においては、図６に示す如く、カメラ本体２の右側面２ｃから背面２ｄにかけての筐体が開閉蓋５０となっており、操作部２２のスライドスイッチ２４を操作するとこの開閉蓋５０のロックが解除されて開閉自在となる。この開閉蓋５０を開くと図６のようにカメラ本体２の内部のカセット収納部５１が開放され、このカセット収納部５１に設けられたカセット装着装置５２に記録媒体であるテープカセットが装着される。カセット装着装置５２はカセットホルダ５３を備え、開閉蓋５０を開くとこのカセット装着装置５２がカセット収納部５１から迫出してカセットホルダ５３が開き、その状態でカセットホルダ５３にテープカセットを挿入した後、カセットホルダ５３を押して閉じることによりカセット装着装置５２がカセット収納部５１に引き込まれて、テープカセットが所定の装着位置にローディングされる如く動作する。そして、このようにテープカセットのローディングが完了した状態で開閉蓋５０を閉じることにより、テープカセットに対する記録再生が可能な状態となる。
【００３０】
一方、静止画記録用のメモリーカード５５は、図７に示す如く、カメラ本体２の背面２ｄにおいてビューファインダ部７の下方に設けられたカードスロット５６に挿入されるようになっており、このカードスロット５６にメモリーカード５５が装填された状態でメモリーカード５５に対する記録再生が行なわれる。
【００３１】
なお、本例の撮像装置１では、駆動用のバッテリーはカメラ本体２に内蔵されている。このバッテリーの収納部は開閉蓋５０に設けられており、このバッテリー収納部を閉じるカバー５８が開閉蓋５０の下部に設けられ、このカバー５８を取り外すことでバッテリーの交換が行なえるようになっている。
【００３２】
図８は、本例の撮像装置１を立てた状態で付属のクレイドル装置７０に装着した状態を示す。この状態では、撮像装置１とクレイドル装置７０とはコネクタを介して電気的に接続され、クレイドル装置７０側から撮像装置１に駆動電力が供給されて内蔵のバッテリーに充電が行なわれる。またこの状態では、図示のように撮像装置１のパネルモニタ１２を開いて、表示画面１３の画像を見ることもできる。さらに、クレイドル装置７０を介して撮像装置１を外部の電子機器と接続することもできる。
【００３３】
本例の撮像装置１は前述した如く、カメラ本体２の左側面２ｂにパネルモニタ１２を備え、このパネルモニタ１２は図３に示す如く不使用時にはカメラ本体２の左側面２ｂに沿って縦型に折り畳まれる構造となっている。そして特にこの撮像装置１では、パネルモニタ１２が取り付けられるカメラ本体２の左側面２ｂの下端部に、上記の如くパネルモニタ１２を折り畳んだ状態でこのパネルモニタ１２の先端面１２ａとほぼ隙間なく対向する対向面６０ａを有する顎部６０が突出形成されている。
【００３４】
この顎部６０は、図４に示す如く、パネルモニタ１２の幅とほぼ等しい幅寸法Ａを有し、かつ、パネルモニタ１２の厚みとほぼ等しい突出厚Ｂで突出形成されている。撮像装置１を上記のクレイドル７０と電気的に接続するためのコネクタ４８は、この顎部６０の底面側に位置して設けられている。
【００３５】
このような顎部６０を形成したことにより本例の撮像装置１は、図３に示すようにパネルモニタ１２を折り畳んだときにはその先端面１２ａが顎部６０の対向面６０ａとほぼ隙間なく対向する状態となるので、パネルモニタ１２の先端部に物が引っ掛かりにくくなり、このためパネルモニタ１２が不用意に開かれてしまうおそれはなく、簡単な構成でパネルモニタ１２を確実に保護することができる。そしてこの構成においてパネルモニタ１２は、顎部６０と対向する面が先端面１２ａのみであるため、顎部６０と対向していない側面１２ｂ，１２ｃを手で掴んで簡単に開くことができるものである。
【００３６】
またここで顎部６０は、パネルモニタ１２の幅とほぼ同じ幅寸法を有し、かつ、パネルモニタ１２の厚みとほぼ等しい突出厚で突出形成されていることにより、図３に示すようにパネルモニタ１２を折り畳んだ状態では、顎部６０がパネルモニタ１２と連続した延長部であるかのような外観に見えるので、全体的にすっきりとした美しいデザインの外観形状となる。
【００３７】
またこの構成においては、図４に示す如く、パネルモニタ１２の先端面１２ａの中央部にピン状の係合部６２が設けられ、これに対応して顎部６０の対向面６０ａには凹溝状の被係合部６３が設けられており、パネルモニタ１２を折り畳んだ状態では、上記の係合部６２が被係合部６３に係合する構造となっている。このような係合構造としたことによりパネルモニタ１２は、折り畳み状態において幅方向にぐらつくことなく安定した状態に保持される。
【００３８】
図９は、撮像装置１が装着されるクレイドル装置７０の詳細を示している。このクレイドル装置７０は、カメラ本体２が載置される基台７１と、この基台７１に載置されたカメラ本体２の側面を保持する保持部とを有して構成されている。ここで保持部は、基台７１の両側に立設される一対の保持壁７２と７３で構成されている。この保持壁７２と７３は、何れもその両端部７２ａ，７２ｂと７３ａ，７３ｂが内側に向って屈曲された鉤括弧形状に形成されており、カメラ本体２を基台７１に載せた状態では、一方の保持壁７２がカメラ本体２の左側面２ｂ側の顎部６０の部分を抱持すると共に、他方の保持壁７３がカメラ本体２の右側面２ｃ側を抱持して、撮像装置１がクレイドル装置７０から脱落しないようにこれをしっかりと保持する構造となっている。
【００３９】
クレイドル装置７０の基台７１上には、カメラ本体２の底面２ｆの凹状のコネクタ４８に対応して凸状のコネクタ７４が設けられており、撮像装置１をクレイドル装置７０に装着した状態では、このクレイドル装置７０側のコネクタ７４がカメラ本体２側のコネクタ４８と嵌合して、クレイドル装置７０と撮像装置１が電気的に接続される。このクレイドル装置７０において基台７１の側面部には電源端子穴７５が設けられており、この端子穴７５に電源アダプタからの電源コード７９を接続して、クレイドル装置から撮像装置に駆動電力を供給する。さらに基台の側面部には、撮像装置を外部の電子機器と接続するための各種端子穴７６，７７，７８が設けられている。
【００４０】
ここでカメラ本体２の底面２ｆの形状を見ると、図１０に示すように、顎部６０が凸型に突出形成される左側面２ｂ側と、これと反対の右側面２ｃ側とが異なる形状に形成されており、クレイドル装置７０の保持壁７２に保持される左側面２ｂ側の幅寸法Ｌ１に対し、保持壁７３に保持される右側面２ｃ側の幅寸法Ｒ１が大きく形成されている。
【００４１】
このカメラ本体の底面２ｆの形状と対応するようにクレイドル装置７０側では、図１１に示す如く、カメラ本体２の左側面２ｂ側を保持する保持壁７２と、カメラ本体２の右側面２ｃ側を保持する保持壁７３とが異なる形状に形成されており、保持壁７２の内幅寸法Ｌ２に対し、保持壁７３の内幅寸法Ｒ２が大きく形成されている。
【００４２】
このように構成されるクレイドル装置７０に、撮像装置１を正しい向きで装着すると、保持壁７２と７３がカメラ本体２のガイドとなって撮像装置１はスムーズに装着され、同時にコネクタ４８と７４が確実に接続される。一方、撮像装置１を誤って逆向きでクレイドル装置７０に装着しようとすると、前述した如きカメラ本体２の底面２ｆの形状及びこれと対応するクレイドル装置７０の保持壁７２と７３の形状の違いにより、撮像装置１を逆向きでクレイドル装置６０に装着することはできない。このため、撮像装置１は常に正しい向きでクレイドル装置７０に装着されることになるので、誤装着によるコネクタ７４の破損のおそれがなく、コネクタ７４を確実に保護することができる。
【００４３】
また、本例の撮像装置１において顎部６０の背面側には、電源コードを直接的に接続するための電源端子部８０が設けられている。この電源端子部８０は通常時には端子カバー８１で覆われており、この端子カバー８１を取り外した状態で電源端子部８０に電源コード７９を接続することにより、クレイドル装置７０を介すことなく撮像装置１に直接的に電力を供給することができる。そして、この電源端子部８０は、撮像装置１をクレイドル装置７０に装着した状態では、図８に示すように、クレイドル装置７０の保持壁７２によって隠れるようになっている。このため、撮像装置１をクレイドル装置７０に装着した状態で、誤って電源端子部８０に電源コード７９を接続してしまうおそれがない。
【００４４】
また本例のクレイドル装置７０において保持壁７２は、基台７１に載置されるカメラ本体２の顎部６０を越えない高さに形成されている。このため、保持壁７２がパネルモニタ１２の開閉動作の妨げとなることはなく、図８に示すように撮像装置１をクレイドル装置７０に装着した状態でスムーズにパネルモニタ１２を開いて表示画面の画像を見ることができるものである。
【００４５】
次に、本例の撮像装置１においてカメラ本体２の左側面２ｂに設けられる操作部３５について詳細に説明する。この操作部３５は、図３に示す如く、撮像部３とパネルモニタ１２との間に配置され、撮影時の手動調整を行なうための切り換えボタン３６とローラ型の調整ダイヤル３７とを一組として設けられている。
【００４６】
この操作部３５において切り換えボタン３６を押すと、撮影時の各種設定が自動から手動モードに切り換えられ、調整ダイヤル３７によって手動調整が行なえるようになる。具体的には、切り換えボタン３６を押すことにより、パネルモニタ１２の表示画面１３にフォーカス、明るさ、ホワイトバランスなどの設定メニューが表示され、その中から表示画面のタッチパネルを押して所望の設定を選択し、その状態で調整ダイヤル３７を回転操作することにより、選択された設定の手動調整が行なわれる。
【００４７】
この操作部３５における切り換えボタン３６と調整ダイヤル３７の操作は、カメラ本体２を右手で持った状態で、反対側の左手の指先で行なう。図５に示すようにパネルモニタ１２を使用して撮影を行なう場合は、使用者側から見て操作部３５がパネルモニタ１２で隠れる状態となるが、使用者はパネルモニタ１２の表示画面１３を見ながら、ブラインドタッチで切り換えボタン３６と調整ダイヤル３７を操作して簡単に各種設定の手動調整を行なうことができる。
【００４８】
ここで特に撮影時のフォーカスの手動調整を行なう場合は、調整ダイヤル３７を回転操作することにより、あたかもカメラのフォーカスリングを回転操作する感覚でフォーカス調整を行なうことができる。
【００４９】
そして、この操作部３５の操作は、カメラ本体２を右手で持った状態で左手によって行なわれるため、操作部３５の操作時には右手側と左手側とで力のバランスが良好に保たれるので、撮影時の手振れが生じることはない。
【００５０】
なお、本例の操作部３５では、切り換えボタン３６と調整ダイヤル３７の組み合わせにより手動調整を行なう構成としたが、これらを一体化したダイヤルプッシュ型の操作部材を用いてもよい。また、ダイヤルはローラ型の他に円盤型としてもよく、さらにはダイヤルに限らずレバー式の操作部材を用いることもできる。
【００５１】
次に、本例の撮像装置において、メモリーカード５５が装填されるカードスロット５６の構成について詳細に説明する。このカードスロット５６は、図７に示す如く、カメラ本体２の背面２ｄにおいてビューファインダ部７の下方に位置して設けられており、このカードスロット５６にメモリーカード５５が装填された状態でメモリーカード５５に対する記録再生が行なわれる。
【００５２】
カードスロット５６の内部には、いわゆるプッシュ・プッシュ機構が備えられており、これによってメモリーカード５５は、カードスロット５６の奥まで押し込むとその位置で保持され、その状態からメモリーカード５５を取り出すときには、再びメモリーカード５５を押し込むことにより保持が解除されて、メモリーカード５５がカードスロット５６から飛び出す如く動作する。
【００５３】
ところで、現在市販されているメモリーカードには多くの種類があり、外形の大きさも様々である。その中で、本例の撮像装置で指定するメモリーカードより小型のメモリーカードを使用者が誤ってカードスロット５６に挿入した場合、プッシュ・プッシュ機構が働かず、メモリーカードはカードスロット５６の奥に入ったまま取り出しが不可能となってしまうおそれがある。
【００５４】
そこで本例の撮像装置１では、図６に示す如く、カードスロット５６の開口から奥行き方向に、メモリーカードの緊急取り出し用の切り欠き８３を形成してある。即ち、使用者が誤って指定外の小型のメモリーカードをカードスロット５６に挿入した場合には、この切り欠き８３からドライバーなどの先端部を挿入し、これをメモリーカードに引掛けてカードスロット５６から引き出すようにする。こうすることにより、小型のメモリーカードを誤って挿入した場合でも、これを簡単に取り出すことができる。
【００５５】
また本例の撮像装置１では、図６に示す如く開閉蓋５０を開いたときに切り欠き８３が露出される構造となっており、開閉蓋５０を閉じた通常の状態では、切り欠き８３は開閉蓋５０によって隠れる状態となるので、切り欠き８３からカードスロット５６に塵埃等が侵入するおそれはなく、また切り欠き８３が撮像装置１の外観を損なうこともない。
【００５６】
なお、以上の実施例では、カメラ本体２の背面２ｄにメモリーカード５５が挿入されるカードスロット５６を設けてあるが、このカードスロット５６はカメラ本体２の背面２ｄに限ることなく、カメラ本体２のあらゆる面に配置することができるものである。
【００５７】
さらに本発明は、その他の各部の構成においても、実施例の構成に限定されることなく、種々の実施形態を採り得るものであることは言うまでもない。
【図面の簡単な説明】
【００５８】
【図１】実施例の撮像装置を手で持った状態を示す斜視図である。
【図２】撮像装置を前面側から見た斜視図である。
【図３】撮像装置を背面側から見た斜視図である。
【図４】撮像装置のパネルモニタを開いた状態を示す斜視図である。
【図５】撮像装置のパネルモニタの使用状態を示す斜視図である。
【図６】撮像装置のカセット収納部を開いた状態を示す斜視図である。
【図７】撮像装置にメモリーカードを挿入する状態を示す斜視図である。
【図８】撮像装置をクレイドル装置に装着した状態を示す斜視図である。
【図９】撮像装置が装着されるクレイドル装置の斜視図である。
【図１０】撮像装置の底面図である。
【図１１】クレイドル装置の平面図である。
【符号の説明】
【００５９】
１…撮像装置、２…カメラ本体、２ｂ…左側面(一側面)、２ｃ…右側面(他側面)、２ｆ…底面、１２…パネルモニタ、１２ａ…先端面、４８…コネクタ、６０…顎部、６０ａ…対向面、６２…係合部、６３…被係合部、７０…クレイドル装置、７１…基台、７２，７３…保持壁(保持部)、７４…コネクタ、
【図１】
2006186935.tif 000003
【図２】
2006186935.tif 000004
【図３】
2006186935.tif 000005
【図４】
2006186935.tif 000006
【図５】
2006186935.tif 000007
【図６】
2006186935.tif 000008
【図７】
2006186935.tif 000009
【図８】
2006186935.tif 000010
【図９】
2006186935.tif 000011
【図１０】
2006186935.tif 000012
【図１１】
2006186935.tif 000013